(57)【要約】【課題】種々の物品を効率的に収納可能でありながらも物品の出し入れ性を向上し得る収納ユニット及びこれを備えたキャビネットを提供する。【解決手段】収納ユニット１０は、底板部１６と該底板部の前後両端部から立ち上がるように設けられた前板部１２及び後板部１３とを有し上方及び左右両側方に開口する収納スペース２０を区画形成した収納本体１１を備え、前記収納スペースを左右一方側スペース２１と左右他方側スペース２２とに区分し、これら左右両側スペースのそれぞれを上下に複数に仕切る棚板２４を前記前板部と前記後板部との間に着脱自在に架け渡し可能なように、前記前板部及び前記後板部の互いに対向する内側面に棚受部１４，１４，１４，１４を設けている。【選択図】図１
2015029673.tif 000002
【特許請求の範囲】
【請求項１】
底板部と該底板部の前後両端部から立ち上がるように設けられた前板部及び後板部とを有し上方及び左右両側方に開口する収納スペースを区画形成した収納本体を備え、
前記収納スペースを左右一方側スペースと左右他方側スペースとに区分し、これら左右両側スペースのそれぞれを上下に複数に仕切る棚板を前記前板部と前記後板部との間に着脱自在に架け渡し可能なように、前記前板部及び前記後板部の互いに対向する内側面に棚受部を設けていることを特徴とする収納ユニット。
【請求項２】
請求項１において、
前記棚受部は、前記左右両側スペースのそれぞれにおいて同高さに棚板を配設可能なように設けられていることを特徴とする収納ユニット。
【請求項３】
請求項１または２において、
前記棚受部は、前記左右両側スペースのそれぞれに、同寸同形状の棚板を配設可能なように設けられていることを特徴とする収納ユニット。
【請求項４】
請求項１乃至３のいずれか１項において、
前記棚受部は、前記前板部及び前記後板部の各内側面において互いに向き合う方向に開口し、前記棚板の前後端部を支持する棚支持部材が挿入される支持穴とされ、かつ、前記左右両側スペースのそれぞれに、上下方向に沿って複数箇所に設けられていることを特徴とする収納ユニット。
【請求項５】
請求項４において、
前記前板部及び前記後板部の各内側面に設けられた支持穴は、前記棚板の左右両端部を前記棚支持部材によって支持可能なように左右に対状に設けられており、該棚板の左右端部の上方側に位置する前後両側の支持穴に、落下防止部材の前後両端部を挿入させ、該落下防止部材を前記前板部と前記後板部との間に着脱自在に架け渡し可能としていることを特徴とする収納ユニット。
【請求項６】
請求項１乃至５のいずれか１項に記載の収納ユニットとしての抽斗を前後方向に出し入れ自在に設けたことを特徴とするキャビネット。
【発明の詳細な説明】
【技術分野】
【０００１】
本発明は、種々の物品を収納する収納ユニット及びこれを備えたキャビネットに関する。
【背景技術】
【０００２】
従来より、種々の物品を収納する収納ラックやワゴン、抽斗等の収納ユニットが知られている。例えば、キャビネット等に前後方向に出し入れ自在に設けられる抽斗は、一般的には上方に開口した箱形状とされている。また、縦仕切板等によって前後方向や左右方向に複数に区画可能とされたような抽斗もあるが、例えば、上下寸法の異なる物品等を効率的に収納する観点等からは、更なる改善が望まれていた。
例えば、下記特許文献１には、引出しの左右方向一側に、引出し内面側に向けて突出させるように小型トレーを片持支持する側板状のハンギングパネルを設けた引出しが開示されている。
【先行技術文献】
【特許文献】
【０００３】
【特許文献１】特開平６−２２５８１９号公報
【発明の概要】
【発明が解決しようとする課題】
【０００４】
しかしながら、上記特許文献１に記載された引出しでは、トレーの下方側空間に対して物品を出し入れし難くなることが考えられた。つまり、トレーの下方側空間の一側方はハンギングパネルによって覆われ、該一側方側からは物品の出し入れができず、また、トレーの周囲に嵩高の物品等が収納されている場合には、これらによって物品の出し入れがし難くなり、更なる改善が望まれる。
【０００５】
本発明は、上記実情に鑑みてなされたものであり、種々の物品を効率的に収納可能でありながらも物品の出し入れ性を向上し得る収納ユニット及びこれを備えたキャビネットを提供することを目的としている。
【課題を解決するための手段】
【０００６】
上記目的を達成するために、本発明に係る収納ユニットは、底板部と該底板部の前後両端部から立ち上がるように設けられた前板部及び後板部とを有し上方及び左右両側方に開口する収納スペースを区画形成した収納本体を備え、前記収納スペースを左右一方側スペースと左右他方側スペースとに区分し、これら左右両側スペースのそれぞれを上下に複数に仕切る棚板を前記前板部と前記後板部との間に着脱自在に架け渡し可能なように、前記前板部及び前記後板部の互いに対向する内側面に棚受部を設けていることを特徴とする。
【０００７】
本発明においては、前記棚受部を、前記左右両側スペースのそれぞれにおいて同高さに棚板を配設可能なように設けてもよい。
また、本発明においては、前記棚受部を、前記左右両側スペースのそれぞれに、同寸同形状の棚板を配設可能なように設けてもよい。
また、本発明においては、前記棚受部を、前記前板部及び前記後板部の各内側面において互いに向き合う方向に開口させ、前記棚板の前後端部を支持する棚支持部材が挿入される支持穴とし、かつ、前記左右両側スペースのそれぞれに、上下方向に沿って複数箇所に設けてもよい。
また、本発明においては、前記前板部及び前記後板部の各内側面に設けられた支持穴を、前記棚板の左右両端部を前記棚支持部材によって支持可能なように左右に対状に設け、該棚板の左右端部の上方側に位置する前後両側の支持穴に、落下防止部材の前後両端部を挿入させ、該落下防止部材を前記前板部と前記後板部との間に着脱自在に架け渡し可能としてもよい。
【０００８】
また、上記目的を達成するために、本発明に係るキャビネットは、本発明に係る収納ユニットとしての抽斗を前後方向に出し入れ自在に設けたことを特徴とする。
【発明の効果】
【０００９】
本発明に係る収納ユニット及びこれを備えたキャビネットは、上述のような構成としたことで、種々の物品を効率的に収納可能でありながらも物品の出し入れ性を向上させることができる。
【図面の簡単な説明】
【００１０】
【図１】（ａ）、（ｂ）は、いずれも本発明の一実施形態に係る収納ユニット及びこれを備えたキャビネットの一例を模式的に示し、（ａ）は、図２（ａ）におけるＸ−Ｘ線矢視に対応させた一部破断概略縦断面図、（ｂ）は、図２（ｂ）におけるＹ−Ｙ線矢視に対応させた一部破断概略縦断面図である。
【図２】（ａ）は、同キャビネットを模式的に示す概略正面図、（ｂ）は、同キャビネットを模式的に示す概略側面図である。
【図３】（ａ）、（ｂ）は、いずれも図１（ａ）におけるＺ部に対応させた一部破断概略縦断面図である。
【図４】（ａ）は、同収納ユニットを模式的に示す概略斜視図、（ｂ）は、同収納ユニットの使用態様の他例を模式的に示す図１（ｂ）に対応させた一部破断概略縦断面図である。
【発明を実施するための形態】
【００１１】
以下に本発明の実施の形態について、図面に基づいて説明する。
図１〜図４は、本実施形態に係る収納ユニット及びこれを備えたキャビネットの一例を模式的に示す図である。
なお、一部の図では、他図に付している詳細な符号の一部を省略している。
また、以下の実施形態では、設置された状態の本実施形態に係る収納ユニット及びこれを備えたキャビネットの正面（引き出し操作の可能な側）に対面した使用者を基準として、使用者側を前方、その逆側を後方とし、その前後方向及び上下方向に直交する方向を左右方向として説明する。
【００１２】
本実施形態に係るキャビネット１は、図１及び図２に示すように、本実施形態に係る収納ユニットとしての抽斗１０を、前後方向（収納奥行方向）に出し入れ自在に設けた構成とされている。このキャビネット１は、抽斗１０を収納するキャビネット本体３を備えている。また、本実施形態では、キャビネット１は、本実施形態に係る抽斗１０を下段抽斗１０とし、その上段側に、上段抽斗としての他の抽斗３０を設けた構成とされている。
このキャビネット１は、洗面室等に設置される洗面台収納装置や、厨房（キッチン）等に設置される厨房収納装置等を構成するものとしてもよい。この場合は、キャビネット本体３の上面側に配される天板２に、適宜、洗面ボウルやシンク、加熱調理器等が組み込まれるものとしてもよい。また、キャビネット１は、このような水廻り収納装置を構成するものに限られず、種々の収納装置として設置されるものとしてもよい。また、キャビネット１は、複数の本実施形態に係るキャビネット１，１または本実施形態に係るキャビネット１と他のキャビネットとを組み合わせて構成される収納装置に組み込まれるものとしてもよい。
【００１３】
キャビネット本体３は、図１及び図２に示すように、左右両側の側板４，４と、背板５と、を備え、これらによって前方及び上方に向けて開口した箱型形状とされ、前方開口を介して各抽斗１０，３０が出し入れされる。また、キャビネット本体３の上面側には天板２が設けられる。この天板２は、当該キャビネット１が備えたものとしてもよく、または、当該キャビネット１を含む複数のキャビネットを組み合わせて収納装置を構成する場合には、収納装置が備えるものとしてもよい。この場合は、横並び状に配される複数のキャビネット１の上面側に、単一の天板２を一連状に設けた構成としてもよい。
【００１４】
また、本実施形態では、キャビネット本体３に、各抽斗１０，３０を出し入れ自在に支持させた構成としている。これら抽斗１０，３０をキャビネット本体３に対して出し入れ自在に支持させる構成としては、種々の態様の採用が可能である。本実施形態では、図１（ｂ）に示すように、キャビネット本体３の左右の側板４，４の互いに向き合う内側面に、各抽斗１０，３０を支持するスライドレール６，６，７，７をそれぞれに設けた構成としている。このようなスライドレール６，６，７，７としては、各側板４，４の内側面側に固定される部材と各抽斗１０，３０の左右両側の外側面側に固定される部材とがスライド自在に係合されたものとしてもよい。または、各抽斗１０，３０の左右両側の外側面側にスライドレール６，６，７，７がスライド自在に係合する係合片や係合溝等を設けた態様としてもよい。
また、本実施形態では、左右の側板４，４の前方下端の角部に、蹴込みスペースを形成するように切欠状の凹所を設けた構成としている。
【００１５】
なお、図例では、収納状態の上段抽斗３０の前板３１の後面に当接される上段桟部材を左右の側板４，４の前端側の上端角部間に架け渡すように設けている。また、収納状態の上段抽斗３０の前板３１及びその下段側の抽斗１０の前板部１２の後面に当接され、これらの間の隙間を遮蔽する下段桟部材を上記上段桟部材の下方側において左右の側板４，４間に架け渡すように設けている。
また、図例では、キャビネット本体３を、左右寸法（幅寸法）よりも上下寸法が大きい寸法とされた略縦長直方体形状とした例を示しているが、このような態様に限られない。例えば、キャビネット本体３を、左右寸法と上下寸法とが概ね同寸法とされたものとしてもよく、左右寸法よりも上下寸法が小さい寸法とされたものとしてもよい。このようなキャビネット本体３の左右寸法及び上下寸法並びに前後寸法（奥行寸法）は、収納対象や、用途、使い勝手等の観点から適宜、設定するようにしてもよい。
また、キャビネット本体３の底側に配される底板を更に設けた態様としてもよい。
【００１６】
上段抽斗３０は、図１に示すように、前板３１と後板３２と左右の側板３３，３３と底板３４とを備え、これらによって上方に向けて開口する概ね箱型形状とされている。
本実施形態では、上段抽斗３０を、その下段側の抽斗１０よりも上下寸法が小さい寸法とされた薄型箱形状としている。
この上段抽斗３０は、左右の側板３３，３３の両外側面側に配設されたスライドレール６，６を介してキャビネット本体３に対して出し入れ自在に支持されている。
【００１７】
また、本実施形態では、上段抽斗３０の前板３１を、その左右寸法がキャビネット本体３の左右寸法と概ね同寸法とされたものとしている。この前板３１は、上段抽斗３０がキャビネット本体３に収納された状態で、その左右両端部の後面がキャビネット本体３の左右の側板４，４の前端面に当接される構成とされている。
また、図２（ａ）に示すように、この上段抽斗３０の前板３１の前面は、取手のない平坦面とされており、例えば、当該上段抽斗３０をプッシュオープン式の抽斗としてもよい。この場合は、適宜の箇所に当該上段抽斗３０を押し出すプッシュオープン機構等を設けるようにしてもよい。または、この上段抽斗３０の前板３１に取手等の手掛部を設けた態様としてもよい。
【００１８】
本実施形態に係る抽斗１０は、図１及び図４に示すように、底板部１６とこの底板部１６の前後両端部から立ち上がるように設けられた前板部１２及び後板部１３とを有し上方及び左右両側方に開口する収納スペース２０を区画形成した収納本体としての抽斗本体１１を備えている。
また、抽斗１０は、収納スペース２０を左右一方側スペース２１と左右他方側スペース２２とに区分し、これら左右両側スペース２１，２２のそれぞれを上下に複数に仕切る棚板２４を前板部１２と後板部１３との間に着脱自在に架け渡し可能なように、前板部１２及び後板部１３の互いに対向する内側面に棚受部１４，１４，１４，１４を設けた構成とされている。つまり、前板部１２の内側面としての後面及び後板部１３の内側面としての前面のそれぞれに、棚受部１４，１４，１４，１４を設けた構成としている。この抽斗１０は、少なくとも一枚の棚板２４を備えたものとしてもよい。
【００１９】
この抽斗１０は、上下寸法が比較的に大きい寸法とされている。この抽斗１０の上下寸法は、当該抽斗１０の収納対象や用途、使い勝手等に応じて適宜、設定可能であり、例えば、大型瓶等の比較的に上下寸法の大きい嵩高物品９等の収納が可能なように適宜、設定するようにしてもよい。
底板部１６は、前板部１２の下端部と後板部１３の下端部とを連結するように設けられている。本実施形態では、この底板部１６を、それぞれに板状とされた底部１７、前部１８及び左右の側部１９，１９を備えたものとし、上方に開口する概ね薄型箱形状（トレー状）としている。このような構成とすれば、底板部１６に物品を安定的に載置させることができ、また、物品等の落下等を抑制することができる。また、この底板部１６の左右の側部１９，１９の外側面側にスライドレール７，７を配設することができる。
【００２０】
図例では、この底板部１６の後端部を後板部１３の下端部に接合して底板部１６の後方開口を後板部１３の下端部によって封止し、この後板部１３の下端部とによって薄型箱形状を構成する底板部１６を例示している。なお、このような態様に代えて、後板部１３の下端部に接合される後部等を底板部１６の後端部に設けた態様としてもよい。
また、本実施形態では、底板部１６の前部１８を、当該抽斗１０の下端部前方に蹴込みスペースが形成されるように、その上方側の前板部１２よりも後方側に位置するように設けた構成としている。この前部１８は、抽斗１０の下端部前面を構成する。また、この前部１８は、左右寸法がキャビネット本体３の左右寸法と概ね同寸法とされ、当該抽斗１０が収納された状態で、その左右両端部の後面がキャビネット本体３の左右の側板４，４の上記凹所の前端面に当接される構成とされている。
【００２１】
なお、当該抽斗１０が上段側に設けられる場合や、蹴込みスペースを設けない場合等には、このような前板部１２よりも後方側に位置する前部１８を設けずに、前板部１２の下端部によって底板部１６の前方開口を封止する構成としてもよい。また、蹴込みスペースを設けない場合等には、キャビネット本体３の左右の側板４，４の前方下端の角部の凹所を設けないようにしてもよい。
また、本実施形態では、底板部１６の左右の側部１９，１９の外側面側に、左右のスライドレール７，７を配設している。これら左右の側部１９，１９は、左右のスライドレール７，７を配設可能なように、キャビネット本体３の左右の側板４，４の内側面との間に隙間を隔てて配される。
【００２２】
なお、底板部１６を、薄型箱形状とした態様に代えて、平板状としてもよい。この場合は、他の部位にスライドレール７，７を設けるようにしてもよく、また、キャビネット本体３に対する抽斗１０の支持手段を変形するようにしてもよい。また、キャビネット本体３に、抽斗１０を出し入れ自在に支持させた態様に代えて、例えば、抽斗１０の底板部１６等にキャスター等の転動体を設け、キャビネット本体３に対して抽斗１０を出し入れ自在とした構成としてもよい。
【００２３】
前板部１２は、板状とされ、その下端部が底板部１６の前部１８に連結されている。図例では、底板部１６の前部１８の上端部から前方に突出するように設けられ、厚さ方向を上下方向に沿わせた連結板部を介して前板部１２と底板部１６とを連結した構成としている。なお、このような態様に代えて、複数のアーム状の連結部や厚さ方向を左右方向に沿わせた複数の連結板部等の他の連結部を介して前板部１２と底板部１６とを連結したような態様としてもよい。
また、この前板部１２は、その上端部が当該抽斗１０及び上段抽斗３０が互いに収納された状態で、上段抽斗３０の前板３１の下端部に近接される構成とされている。
【００２４】
また、この前板部１２は、左右寸法がキャビネット本体３の左右寸法と概ね同寸法とされ、当該抽斗１０が収納された状態で、その左右方向両端部の内側面を構成する後面がキャビネット本体３の左右の側板４，４の前端面に当接される構成とされている。
また、前板部１２は、当該抽斗１０及び上段抽斗３０が互いに収納された状態で、その前面が上段抽斗３０の前板３１の前面と略同一平面状となる構成とされている。
また、図例では、前板部１２の前面の上方側部位に、前面から前方に向けて突出するような取手を設けた例を示している。なお、このような取手に代えて、掘込状の手掛部等を設けるようにしてもよい。また、上記のような蹴込みスペースを形成する前部１８を底板部１６に設けた場合には、当該前板部１２の下端部を手掛部としたような態様としてもよい。
【００２５】
後板部１３は、板状とされ、その下端部が底板部１６の底部１７及び左右の側部１９，１９の後端部に接合されている。
この後板部１３は、下端部の左右寸法がその上方側部位の左右寸法よりも小さくなるように、その下端部の左右両側に、上記した底板部１６の左右の側部１９，１９に対応させた切欠状の凹所を設けた構成とされている。このような構成とすれば、スライドレール７，７の配設スペースを下端部に設けることが可能でありながらも、後板部１３の上方側部位の左右寸法を効果的に大きくすることができる。
また、図例では、この後板部１３の上端部を、前板部１２の上端部よりも僅かに下方側に位置させた例を示している。
【００２６】
本実施形態では、図１及び図４（ａ）に示すように、この後板部１３の上端部と前板部１２の上端部とを連結する補強桟１５を抽斗本体１１に設けている。このような構成とすれば、上方及び左右両側方に開口する収納スペース２０を区画形成する抽斗本体１１の変形等を抑制することができる。本実施形態では、後板部１３の上端部の左右両端部と前板部１２の上端部の左右両端部とをそれぞれに連結する左右の補強桟１５，１５を設けた構成としている。
これら補強桟１５，１５は、互いに同様の構成とされており、本実施形態では、前後方向に長尺な棒状（バー状）とされている。図例では、これら補強桟１５，１５を、短手断面略矩形状とした例を示しているが、短手断面略円形状等としてもよい。
【００２７】
また、図例では、これら補強桟１５，１５の前後方向（長手方向）両端部を、前板部１２の後面及び後板部１３の前面に固定し、前板部１２と後板部１３との間に架け渡すように設けた例を示している。
本実施形態では、これら補強桟１５，１５並びに前板部１２及び後板部１３によって抽斗本体１１の上方開口を区画している。また、各補強桟１５，１５並びに前板部１２、後板部１３及び底板部１６によって抽斗本体１１の左右両側の開口をそれぞれに区画している。
なお、これら補強桟１５，１５は、中実状とされたものとしてもよく、中空筒状とされたものとしてもよい。また、これら補強桟１５，１５は、棒状とされたものに限られず、帯板状等とされたものとしてもよい。
また、二本の補強桟１５，１５を設けた態様に限られず、単一または三本以上の補強桟を設けた態様としてもよく、さらにはこのような補強桟を設けないようにしてもよい。
【００２８】
前板部１２に設けられた棚受部１４，１４と後板部に設けられた棚受部１４，１４とは、前後方向に見て互いに一致（重合）する位置となるように設けられている。
本実施形態では、図１（ｂ）及び図４（ｂ）に示すように、これら棚受部１４，１４，１４，１４を、左右両側スペース２１，２２のそれぞれにおいて同高さに棚板２４を配設可能なように設けている。
また、これら棚受部１４，１４，１４，１４を、左右両側スペース２１，２２のそれぞれに、同寸同形状の棚板２４を配設可能なように設けている。
【００２９】
また、図１（ａ）及び図３に示すように、これら棚受部１４，１４，１４，１４を、前板部１２の後面及び後板部１３の前面において互いに向き合う方向に開口する支持穴１４，１４，１４，１４としている。これら支持穴１４，１４，１４，１４は、棚板２４の前後端部を支持する棚支持部材２３，２３が挿入される構成とされている。本実施形態では、各支持穴１４を、棚支持部材２３としてのダボ２３が挿入されるダボ穴１４としている。
また、本実施形態では、これらダボ穴１４，１４，１４，１４を、左右両側スペース２１，２２のそれぞれに、上下方向に沿って複数箇所に設けている。本実施形態では、これらダボ穴１４，１４，１４，１４を、上下方向に沿って等間隔を空けて複数箇所に設けている。図例では、左右一方側スペース２１及び左右他方側スペース２２のそれぞれにおいて上下方向に沿って間隔を空けて９箇所に棚板２４を架け渡し可能なように、ダボ穴１４，１４，１４，１４を設けた例を示している。
【００３０】
また、本実施形態では、これらダボ穴１４，１４，１４，１４を、棚板２４の前後端部の左右両端部をダボ２３，２３によって支持可能なように左右に対状に設けている。つまり、前板部１２及び後板部１３のそれぞれに設けられた左右一対のダボ穴１４，１４，１４，１４に挿入された４つのダボ２３，２３，２３，２３によって棚板２４の四隅部を支持可能とした構成としている。
本実施形態では、左右一方側スペース２１に設けられた左右一対のダボ穴１４，１４と、左右他方側スペース２２に設けられた左右一対のダボ穴１４，１４と、を同高さに設けて左右両側スペース２１，２２のそれぞれにおいて同高さに棚板２４を配設可能な構成としている。つまり、前板部１２及び後板部１３のそれぞれに、左右に横並び状に４箇所に、かつ上下方向に沿って等間隔を空けて複数箇所にダボ穴１４，１４，１４，１４を設けた構成としている（図１（ｂ）及び図４（ｂ）参照）。
【００３１】
また、左右一方側スペース２１に設けられた左右一対のダボ穴１４，１４同士の間隔と、左右他方側スペース２２に設けられた左右一対のダボ穴１４，１４同士の間隔と、を同寸法として左右両側スペース２１，２２のそれぞれに、同寸同形状の棚板２４を配設可能な構成としている。
また、本実施形態では、左右に横並び状に４箇所に配されたダボ穴１４，１４，１４，１４を、上下方向に沿ってそれぞれ整列状に設けた構成としている。つまり、前板部１２及び後板部１３のそれぞれに左右に４列のダボ穴１４，１４，１４，１４を設け、これら左右に４列のダボ穴１４，１４，１４，１４を、それぞれの列において上下方向に沿う同一直線状に位置するように設けた構成としている。
【００３２】
また、本実施形態では、左右方向外方側の２列の各ダボ穴１４，１４を、前板部１２及び後板部１３の左右方向の各側端部に設け、左右方向内方側の２列の各ダボ穴１４，１４を、前板部１２及び後板部１３の左右方向中心に近接させて設けた構成としている。
このような構成により、本実施形態では、左右一方側スペース２１と左右他方側スペース２２とが互いに概ね同容積となる構成とされている。
【００３３】
なお、各ダボ穴１４は、互いに同寸同形状とされており、例えば、丸穴状とされたものとしてもよい。
また、このダボ穴１４に挿入されるダボ２３は、ダボ穴１４に挿入可能な構成とすればよい。
また、左右両側スペース２１，２２のそれぞれにおいて上下に間隔を空けて設けられるダボ穴１４の個数や上下に隣り合うダボ穴１４，１４同士の間隔は、収納対象や、用途、棚板２４の上下位置の所望する調整度合い等に応じて、適宜、設定するようにしてもよい。
【００３４】
棚板２４は、図１及び図４に示すように、板状とされ、前後方向に長尺とされている。
この棚板２４の前後寸法は、抽斗本体１１の前板部１２と後板部１３との間の前後寸法と概ね同寸法とされている。また、棚板２４の左右寸法（幅寸法）は、後板部１３（の上記上方側部位）の左右寸法の概ね１／２の寸法とされている。
この棚板２４は、左右両側スペース２１，２２のいずれ側にも配設可能な構成とされている。
また、本実施形態では、棚板２４の前後端部の左右両端部、つまり、四隅部のそれぞれに、ダボ２３，２３，２３，２３を受け入れる係合凹所２４ａ，２４ａ，２４ａ，２４ａを設けている。これら係合凹所２４ａ，２４ａ，２４ａ，２４ａは、前後方向外方側及び下方側に向けて開口するように設けられている。棚板２４は、これら係合凹所２４ａ，２４ａ，２４ａ，２４ａに、前板部１２及び後板部１３の各ダボ穴１４，１４，１４，１４に挿入されたダボ２３，２３，２３，２３をそれぞれ係合させることで、前板部１２と後板部１３との間に着脱自在に架け渡される。
【００３５】
また、本実施形態では、図１（ｂ）及び図４（ｂ）に示すように、架け渡された状態の棚板２４の左右両端面のうちの一端面が、後板部１３の左右両端面のうちの一端面と略同一平面状となる構成としている。また、架け渡された状態の棚板２４の左右両端面のうちの他端面が、当該抽斗１０の左右方向略中心に位置する構成としている。
なお、棚板２４を含む抽斗１０の各板部１２，１３，１６並びにキャビネット本体３及び上段抽斗３０を構成する各板４,４,５，３１，３２，３３，３３，３４は、木質系材料や合成樹脂系材料、金属系材料等から形成されたものとしてもよい。
【００３６】
また、本実施形態では、抽斗１０は、図１に示すように、棚板２４の左右端部の上方側に位置する前後両側のダボ穴１４，１４に、落下防止部材２５の前後両端部を挿入させ、落下防止部材２５を前板部１２と後板部１３との間に着脱自在に架け渡し可能としている。この落下防止部材２５は、当該抽斗１０に少なくとも一つ備えられていてもよい。
この落下防止部材２５の前後の各端部には、図３に示すように、ダボ穴１４，１４に挿入される突起部２６，２９がそれぞれに設けられている。
この落下防止部材２５は、前後方向に伸縮可能とされており、伸長された状態で前後両側のダボ穴１４，１４に前後両側の突起部２６，２９がそれぞれに挿入され、前板部１２及び後板部１３に支持される構成とされている。一方、落下防止部材２５は、短縮された状態で前後両側の突起部２６，２９を前後両側のダボ穴１４，１４に対して挿脱可能とされ、前板部１２及び後板部１３に対して着脱自在とされている。
【００３７】
また、本実施形態では、落下防止部材２５を、前後方向に長尺な棒状（丸棒状）とされたものしている。図例では、その前後両端部の突起部２６，２９とこれらの間の本体部とを同心状に設け、各突起部２６，２９を互いに同径状で本体部よりも小径状とされた略円柱形状とした落下防止部材２５を例示している。
本実施形態では、前後一端側の突起部２６を、当該落下防止部材２５の本体部に対して固定的に設けられた固定突起部２６とし、前後他端側の突起部２９を、当該落下防止部材２５の本体部に対して前後方向に進退可能とされた可動突起部２９としている。また、本体部に、可動突起部２９を進出方向へ付勢する圧縮コイルばね等の付勢部材２８と、この付勢部材２８及び可動突起部２９の基端部を収容する収容凹所２７と、を設けた構成としている。また、収容凹所２７には、可動突起部２９の本体部から抜けを規制する抜け止め部が設けられている。
【００３８】
この落下防止部材２５は、可動突起部２９を本体部に対して進出させることで、伸長状態とされる一方、可動突起部２９を本体部に対して退入させることで、短縮状態とされる。
また、本実施形態では、可動突起部２９を、図３（ｂ）に示すように、本体部に対して退入させダボ穴１４に挿入させた状態で、固定突起部２６をダボ穴１４に対して挿脱可能なように本体部に対して進退自在に設けている。このような構成とすれば、図３（ｂ）に示すように、可動突起部２９の進退を伴い本体部を前後方向に移動させ、適宜、当該落下防止部材２５を斜め状にすることで、当該落下防止部材２５を前板部１２及び後板部１３に対して着脱させることができる。
【００３９】
なお、上記のような態様に代えて、落下防止部材２５の外周面に、可動突起部２９を進退させる操作部等を設けた態様としてもよい。この場合は、可動突起部２９を進出方向へ付勢する付勢部材２８を設けないようにしてもよい。また、落下防止部材２５の前後両端部の突起部を可動突起部としてもよい。また、当該落下防止部材２５を前後方向に伸縮可能とする態様としては、突起部を進退させる態様に限られず、例えば、本体部を二重筒状の構造とし、本体部が前後方向に伸縮可能とされたようなものとしてもよい。また、落下防止部材２５のいずれかの部位が他の部位に対してねじ作用によって進退する構成等とされたものとしてもよく、その他、種々の態様の採用が可能である。
また、落下防止部材２５（本体部）としては、棒状とされたものに限られず、線状や板状、網状、多孔状等とされたものとしてもよい。
【００４０】
次に、本実施形態に係る抽斗１０及びこれを備えたキャビネット１の使用態様の一例について説明する。
図１（ｂ）及び図４（ａ）では、抽斗本体１１の左右一方側スペース２１を嵩高収納スペースとし、左右他方側スペース２２を上下に区画された複数の小分けスペースとした例を示している。図例では、左右他方側スペース２２に上下に二枚の棚板２４，２４を配設し、左右他方側スペース２２を、上下に三段に区画した例を示している。また、これら棚板２４，２４の左右両端部の上方側に、それぞれ落下防止部材２５，２５，２５，２５を配設した例を示している。
このような態様とすれば、左右一方側スペース２１に、例えば、大型瓶等の嵩高物品９等を収納させることができ、左右他方側スペース２２の小分けスペースのそれぞれに小物物品８，８，８を収納させることができる。
【００４１】
図４（ｂ）では、左右両側スペース２１，２２のそれぞれに、同高さに棚板２４，２４を配設して左右に幅広とされた幅広スペースを上下に複数段設けた例を示している。図例では、４枚の棚板２４，２４，２４，２４によって上下に三段の幅広スペースを設けた例を示している。また、二枚を横並び状に、かつ二段に設けられた棚板２４，２４，２４，２４の各段における当該抽斗１０の左右方向外方側に位置する端部の上方側に、それぞれ落下防止部材２５，２５，２５，２５を配設した例を示している。
このような態様とすれば、例えば、大型鍋等の幅方向に嵩張る幅広物品９Ａ等を収納させることができる。
なお、上記した使用態様は、一例であり、種々の変形が可能である。例えば、一枚の棚板２４によって、左右両側スペース２１，２２のいずれか一方側のみを上下に区画したような態様としてもよい。また、三枚または五枚以上の棚板２４を適宜の位置に配設して左右両側スペース２１，２２の両方または一方を上下に区画したような態様としてもよい。
【００４２】
本実施形態に係る収納ユニット（抽斗）１０及びこれを備えたキャビネット１は、上述のような構成としたことで、種々の物品８，９，９Ａを効率的に収納可能でありながらも物品８，９，９Ａの出し入れ性を向上させることができる。
つまり、収納本体（抽斗本体）１１の収納スペース２０を左右一方側スペース２１と左右他方側スペース２２とに区分し、これら左右両側スペース２１，２２のそれぞれを上下に複数に仕切る棚板２４を着脱自在に架け渡し可能なように、前板部１２及び後板部１３の互いに対向する内側面に棚受部１４，１４，１４，１４を設けている。従って、例えば、図１（ｂ）に示す使用態様の一例のように、左右いずれか一方側に棚板２４を配設し、他方側には棚板２４を配設しない態様としたりでき、収納する物品８，９，９Ａの高さ等に応じて、抽斗本体１１の収納スペース２０内を棚板２４によって効率的に区分することができ、種々の物品８，９，９Ａを効率的に収納させることができる。つまりは、例えば、収納スペース２０の左右いずれか一方側に小物物品８を収納し、他方側に嵩高物品９を収納するようなことができ、単一の抽斗１０内の収納スペース２０を効率的に利用することができる。また、これにより、例えば、上下寸法の異なる抽斗を上下に複数段設けるようなものと比べて、構造の簡略化を図ることができる。
【００４３】
また、抽斗本体１１の収納スペース２０を、上方及び左右両側方に開口させた構成としている。従って、抽斗本体１１の収納スペース２０に左右両外方側から物品８，９，９Ａを出し入れすることができ、物品８，９，９Ａの出し入れ性を向上させることができる。つまり、例えば、上記のように、小物物品８と嵩高物品９とを収納したような場合にも、嵩高物品９の逆側となる左右方向外方側から小物物品８を出し入れすることができ、嵩高物品９によって出し入れ性が低下するようなことを抑制することができる。
また、棚板２４を、抽斗本体１１の前板部１２と後板部１３との間に架け渡すことができるので、例えば、ハンギングパネル等に片持状に支持させる態様としたものと比べて、安定的に保持させることができる。
【００４４】
また、本実施形態では、棚受部１４，１４，１４，１４を、左右両側スペース２１，２２のそれぞれにおいて同高さに棚板２４を配設可能なように設けている。従って、例えば、図４（ｂ）に示す使用態様の一例のように、左右両側スペース２１，２２のそれぞれにおいて同高さに棚板２４を配設することができ、幅広物品９Ａ等を、両側の棚板２４，２４に亘って載置して収納するようなことも可能となり、使い勝手を向上させることができる。なお、このような態様に代えて、棚受部１４，１４，１４，１４を、左右両側スペース２１，２２のそれぞれにおいて異なる高さに棚板２４を配設可能なように設けてもよい。
【００４５】
また、本実施形態では、棚受部１４，１４，１４，１４を、左右両側スペース２１，２２のそれぞれに、同寸同形状の棚板２４を配設可能なように設けている。従って、同寸同形状の棚板２４を、左右両側スペース２１，２２のいずれ側のスペースにも配設することができ、使い勝手を向上させることができる。また、左右一方側スペース２１と左右他方側スペース２２とに配設される棚板２４を同一部品とでき、取扱性等を向上させることができる。なお、このような態様に代えて、棚受部１４，１４，１４，１４を、左右両側スペース２１，２２のそれぞれに、互いに異なる幅寸法とされた棚板を配設可能なように設けてもよい。この場合は、左右一方側スペース２１と左右他方側スペース２２とが互いに異なる容積となる構成としてもよい。
【００４６】
また、本実施形態では、棚受部１４，１４，１４，１４を構成する支持穴（ダボ穴）１４，１４，１４，１４を、左右両側スペース２１，２２のそれぞれに、上下方向に沿って複数箇所に設けている。従って、左右両側スペース２１，２２のそれぞれに配設する棚板２４の枚数や棚板２４の上下位置等を変更することができ、種々の物品８，９，９Ａをより効率的に収納させることができ、抽斗本体１１の収納スペース２０をより有効に利用することができる。
また、棚受部１４，１４，１４，１４を、前板部１２及び後板部１３の各内側面において互いに向き合う方向に開口し、棚板２４の前後端部を支持する棚支持部材（ダボ）２３が挿入される支持穴としてのダボ穴１４，１４，１４，１４としている。従って、棚板２４を配設しない位置のダボ穴１４にはダボ２３を挿入させない態様とできる。これにより、不要な棚受部が前板部１２及び後板部１３の各内側面から突出するようなことがなく、収納スペース２０を有効に利用することができ、また、棚受部に物品が引っ掛かるようなことがなく、物品８，９，９Ａの出し入れ性を向上させることができる。
【００４７】
また、本実施形態では、前板部１２及び後板部１３の各内側面に設けられたダボ穴１４，１４，１４，１４を、棚板２４の前後の左右両端部をダボ２３，２３，２３，２３によって支持可能なように左右に対状に設けている。従って、棚板２４をより安定的にダボ２３，２３，２３，２３によって支持させることができる。
また、棚板２４の左右端部の上方側に位置する前後両側のダボ穴１４，１４に、落下防止部材２５の前後両端部２６，２９を挿入させ、落下防止部材２５を前板部１２と後板部１３との間に着脱自在に架け渡し可能としている。従って、落下防止部材２５を棚板２４の左右端部の上方側に配設することができ、棚板２４上に載置された物品８，９，９Ａの落下を防止することができる。また、この落下防止部材２５を、棚受部を構成するダボ穴１４，１４を利用して配設することができ、構造の簡略化を図ることができる。なお、このような落下防止部材２５を設けないようにしてもよい。
【００４８】
なお、支持穴としてのダボ穴１４に挿入される棚支持部材２３としては、ダボに限られず、種々の変形が可能である。例えば、棚板２４の下面に当接される当接面部を有したような棚支持部材２３としてもよく、その他、種々の棚支持部材２３の採用が可能である。
また、本実施形態では、棚板２４の前後の左右両端部を棚支持部材２３，２３，２３，２３によって支持可能なように左右に対状に支持穴１４，１４，１４，１４を設けた例を示しているが、このような態様に限られない。例えば、棚板２４の前後の各端部を単一の棚支持部材２３，２３によって支持する構成とし、それに応じた支持穴１４，１４を設けた構成としてもよい。
また、本実施形態では、棚受部１４を、前板部１２及び後板部１３の各内側面において互いに向き合う方向に開口し、棚板２４の前後端部を支持する棚支持部材２３が挿入される支持穴１４とした例を示しているが、このような態様に限られない。例えば、前板部１２及び後板部１３の内側面から突出する棚受部１４を前板部１２及び後板部１３の各内側面に固定的に設けたような態様としてもよい。
【００４９】
また、本実施形態では、棚受部１４を、左右両側スペース２１，２２のそれぞれに、上下方向に沿って複数箇所に設けた例を示しているが、このような態様に限られない。例えば、左右両側スペース２１，２２のいずれか一方側のみに、上下方向に沿って複数箇所に棚受部１４を設けた態様としてもよい。さらには、左右両側スペース２１，２２のそれぞれに、単一の棚板のみを配設可能なように、棚受部１４を設けた態様としてもよい。
また、本実施形態では、本実施形態に係る抽斗１０を下段抽斗１０とし、その上段側に上段抽斗３０を設けたキャビネット１を例示しているが、このような態様に限られない。例えば、本実施形態に係る抽斗１０を上段側に設けたり、本実施形態に係る抽斗１０を上下に複数段設けたり、他の抽斗を含み３つ以上の抽斗を設けたり、さらには、単一の抽斗１０を設けた態様としてもよい。
【００５０】
また、本実施形態では、収納ユニットとしての抽斗１０を、キャビネット１に設けた例を示しているが、このような態様に限られない。本実施形態に係る収納ユニット１０を、言わば独立的に使用される収納ラックやワゴンとして把握するようにしてもよい。この場合は、収納本体１１の前板部１２や後板部１３、底板部１６等を適宜、必要に応じて変形するようにしてもよい。また、この場合は、容易には移動不能とされたものとしてもよいが、上記のように、収納ユニット１０の底板部１６等にキャスター等の転動体を設け、キャビネット本体３に代えて、他の収納凹所等に対して出し入れ自在に設置する態様等としてもよい。
【符号の説明】
【００５１】
１    キャビネット
１０  抽斗（収納ユニット）
１１  抽斗本体（収納本体）
１２  前板部
１３  後板部
１４  ダボ穴（支持穴，棚受部）
１６  底板部
２０  収納スペース
２１  左右一方側スペース
２２  左右他方側スペース
２３  ダボ（棚支持部材）
２４  棚板
２５  落下防止部材
【図１】
2015029673.tif 000003
【図２】
2015029673.tif 000004
【図３】
2015029673.tif 000005
【図４】
2015029673.tif 000006